(57)【要約】【課題】互いに光源色の色度が異なる第１ＬＥＤ及び第２ＬＥＤそれぞれからの光を混色させたときの色むらを抑制することが可能なＬＥＤモジュール及びそれを備えた照明器具を提供する。【解決手段】ＬＥＤモジュール１ａは、回路基板２と、回路基板２の表面２１上に設けられた光源部３と、回路基板２の表面２１側に配置され光源部３からの光の配光を制御するレンズ４と、を備える。光源部３は、互いに光源色の色度が異なる第１ＬＥＤ３１及び第２ＬＥＤ３２を備える。回路基板２は、第１ＬＥＤ３１と第２ＬＥＤ３２とを独立して駆動できるように配線２３が形成されている。レンズ４は、回路基板２側に光源部３を収納する凹部４０が形成されており、凹部４０の内面４１が光入射面４２を構成している。凹部４０の開口形状が円形状である。光源部３は、第１ＬＥＤ３１と第２ＬＥＤ３２とが点対称となるように第１ＬＥＤ３１及び第２ＬＥＤ３２が配置されている。【選択図】図１
2017045951.tif 000002
【特許請求の範囲】
【請求項１】
回路基板と、前記回路基板の表面上に設けられた光源部と、前記回路基板の前記表面側に配置され前記光源部からの光の配光を制御するレンズと、を備え、
前記光源部は、互いに光源色の色度が異なる第１ＬＥＤ及び第２ＬＥＤを備え、
前記回路基板は、前記第１ＬＥＤと前記第２ＬＥＤとを独立して駆動できるように配線が形成されており、
前記レンズは、前記回路基板側に前記光源部を収納する凹部が形成され、前記凹部の内面が光入射面を構成しており、
前記凹部の開口形状が円形状であり、
前記光源部は、前記レンズの光軸に直交する一平面上において前記光軸と前記一平面との交点を中心として前記第１ＬＥＤと前記第２ＬＥＤとが点対称となるように前記第１ＬＥＤ及び前記第２ＬＥＤが配置されている、
ことを特徴とするＬＥＤモジュール。
【請求項２】
前記第１ＬＥＤ及び前記第２ＬＥＤの各々は、平面視形状が長方形状であり、
前記第１ＬＥＤと前記第２ＬＥＤとが同じ大きさであり、
前記光源部は、前記第１ＬＥＤ及び前記第２ＬＥＤを１つずつ備える、
ことを特徴とする請求項１記載のＬＥＤモジュール。
【請求項３】
前記第１ＬＥＤ及び前記第２ＬＥＤの各々は、チップサイズパッケージＬＥＤである、
ことを特徴とする請求項１又は２記載のＬＥＤモジュール。
【請求項４】
前記第１ＬＥＤ及び前記第２ＬＥＤの各々は、表面実装型ＬＥＤであり、
前記第１ＬＥＤは、前記第１ＬＥＤチップを収納する第１パッケージ内において、前記第１ＬＥＤチップが前記第１パッケージの長手方向の一端側に偏って配置されており、
前記第２ＬＥＤは、前記第２ＬＥＤチップを収納する第２パッケージ内において、前記第２ＬＥＤチップが前記第２パッケージの長手方向の一端側に偏って配置されており、
前記光源部は、前記一平面上において前記光軸と前記一平面との交点を中心として前記第１ＬＥＤチップと前記第２ＬＥＤチップとが点対称となるように前記第１ＬＥＤ及び前記第２ＬＥＤが配置されている、
ことを特徴とする請求項２記載のＬＥＤモジュール。
【請求項５】
前記第１ＬＥＤ及び前記第２ＬＥＤの各々は、平面視形状が正方形状であり、
前記第１ＬＥＤと前記第２ＬＥＤとが同じ平面サイズであり、
前記光源部は、前記第１ＬＥＤ及び前記第２ＬＥＤを２つずつ備える、
ことを特徴とする請求項１記載のＬＥＤモジュール。
【請求項６】
前記第１ＬＥＤの外周部と前記第２ＬＥＤの外周部との少なくとも一方が遮光性を有する、
ことを特徴とする請求項１乃至５のいずれか一項に記載のＬＥＤモジュール。
【請求項７】
前記第１ＬＥＤは、前記回路基板の前記表面に実装された第１ＬＥＤチップと、前記第１ＬＥＤチップを覆うように前記回路基板の前記表面側に配置された第１波長変換部と、を備え、
前記第２ＬＥＤは、前記回路基板の前記表面に実装された第２ＬＥＤチップと、前記第２ＬＥＤチップを覆うように前記回路基板の前記表面側に配置された第２波長変換部と、を備える、
ことを特徴とする請求項１記載のＬＥＤモジュール。
【請求項８】
前記第１ＬＥＤの光源色が白色であり、前記第２ＬＥＤの光源色が電球色である、
ことを特徴とする請求項１乃至７のいずれか一項に記載のＬＥＤモジュール。
【請求項９】
請求項１乃至８のいずれか一項に記載のＬＥＤモジュールと、前記ＬＥＤモジュールを保持する器具本体と、を備える、
ことを特徴とする照明器具。
【発明の詳細な説明】
【技術分野】
【０００１】
本発明は、ＬＥＤ（Light Emitting Diode）モジュール及びそれを備えた照明器具に関する。
【背景技術】
【０００２】
従来、ＬＥＤモジュールとしては、基板と、基板に実装され互いに異なる色度の光を出射する第１ＬＥＤ及び第２ＬＥＤと、第１ＬＥＤの光と第２ＬＥＤの光とを混色するレンズと、を有する発光装置が提案されている（特許文献１）。
【０００３】
第１ＬＥＤは、白色の光を出射する固体発光素子である。第２ＬＥＤは、電球色の光を出射する固体発光素子である。
【０００４】
レンズは、隣接している第１ＬＥＤ及び第２ＬＥＤを覆うように基板上に配置される。レンズは、逆円錐台形状のレンズ本体を有する。レンズ本体は、第１ＬＥＤ及び第２ＬＥＤそれぞれを覆う２つの半球形空洞が形成されている。
【０００５】
また、特許文献１では、上述の発光装置を備えた照明器具が提案されている。
【先行技術文献】
【特許文献】
【０００６】
【特許文献１】特開２０１２−１７４８６７号公報
【発明の概要】
【発明が解決しようとする課題】
【０００７】
ＬＥＤモジュール及びそれを備えた照明器具の分野においては、色むらを抑制することが望まれている。
【０００８】
本発明の目的は、互いに光源色の色度が異なる第１ＬＥＤ及び第２ＬＥＤそれぞれからの光を混色させたときの色むらを抑制することが可能なＬＥＤモジュール及びそれを備えた照明器具を提供することにある。
【課題を解決するための手段】
【０００９】
本発明に係る一態様のＬＥＤモジュールは、回路基板と、前記回路基板の表面上に設けられた光源部と、前記回路基板の前記表面側に配置され前記光源部からの光の配光を制御するレンズと、を備える。前記光源部は、互いに光源色の色度が異なる第１ＬＥＤ及び第２ＬＥＤを備える。前記回路基板は、前記第１ＬＥＤと前記第２ＬＥＤとを独立して駆動できるように配線が形成されている。前記レンズは、前記回路基板側に前記光源部を収納する凹部が形成されており、前記凹部の内面が光入射面を構成している。前記凹部の開口形状が円形状である。前記光源部は、前記レンズの光軸に直交する一平面上において前記光軸と前記一平面との交点を中心として前記第１ＬＥＤと前記第２ＬＥＤとが点対称となるように前記第１ＬＥＤ及び前記第２ＬＥＤが配置されている。
【００１０】
本発明に係る一態様の照明器具は、上述のＬＥＤモジュールと、前記ＬＥＤモジュールを保持する器具本体と、を備える。
【発明の効果】
【００１１】
本発明のＬＥＤモジュールでは、互いに光源色の色度が異なる第１ＬＥＤ及び第２ＬＥＤそれぞれからの光を混色させたときの色むらを抑制することが可能となる。
【００１２】
本発明の照明器具では、互いに光源色の色度が異なる第１ＬＥＤ及び第２ＬＥＤそれぞれからの光を混色させたときの色むらを抑制することが可能となる。
【図面の簡単な説明】
【００１３】
【図１】図１Ａは、実施形態１のＬＥＤモジュールを示す概略平面図である。図１Ｂは、図１Ａの要部拡大図である。図１Ｃは、図１Ｂの横断面図である。図１Ｄは、図１ＢのＸ−Ｘ概略断面図である。
【図２】図２は、実施形態１のＬＥＤモジュールにおける要部概略平面図である。
【図３】図３は、実施形態１のＬＥＤモジュールの回路図である。
【図４】図４は、図１Ｄの要部拡大図である。
【図５】図５は、実施形態１のＬＥＤモジュールを備えた照明器具の概略斜視図である。
【図６】図６は、実施形態１のＬＥＤモジュールを備えた照明器具の要部概略断面図である。
【図７】図７は、第１変形例のＬＥＤモジュールの要部概略断面図である。
【図８】図８は、第２変形例のＬＥＤモジュールの要部横断面図である。
【図９】図９Ａは、第３変形例のＬＥＤモジュールの要部横断面図である。図９Ｂは、第３変形例のＬＥＤモジュールの要部概略平面図である。
【図１０】図１０は、実施形態２のＬＥＤモジュールを示す要部概略断面図である。
【発明を実施するための形態】
【００１４】
下記の実施形態１〜２において説明する各図は、模式的な図であり、各構成要素の大きさの比が、必ずしも実際の寸法比を反映しているとは限らない。
【００１５】
（実施形態１）
以下では、本実施形態のＬＥＤモジュール１ａについて、図１〜４に基づいて説明する。
【００１６】
ＬＥＤモジュール１ａは、回路基板２と、回路基板２の表面２１上に設けられた光源部３と、回路基板２の表面２１側に配置され光源部３からの光の配光を制御するレンズ４と、を備える。光源部３は、互いに光源色の色度が異なる第１ＬＥＤ３１及び第２ＬＥＤ３２を備える。回路基板２は、第１ＬＥＤ３１と第２ＬＥＤ３２とを独立して駆動できるように配線２３（図４参照）が形成されている。レンズ４は、回路基板２側に光源部３を収納する凹部４０が形成されており、凹部４０の内面４１が光入射面４２を構成している。凹部４０の開口形状が円形状である。光源部３は、第１ＬＥＤ３１と第２ＬＥＤ３２とが点対称となるように第１ＬＥＤ３１及び第２ＬＥＤ３２が配置されている。以上の構成により、ＬＥＤモジュール１ａは、互いに光源色の色度が異なる第１ＬＥＤ３１及び第２ＬＥＤ３２それぞれからの光を混色させたときの色むらを抑制することが可能となる。ここで、光源部３は、レンズ４の光軸４Ｘに直交する一平面ＶＲ１上において光軸４Ｘと一平面ＶＲ１との交点Ｐ１を中心として第１ＬＥＤ３１と第２ＬＥＤ３２とが点対称となるように第１ＬＥＤ３１及び第２ＬＥＤ３２が配置されている。ＬＥＤモジュール１ａでは、第１ＬＥＤ３１の光出力と第２ＬＥＤ３２の光出力とを別々に調整可能である。要するに、ＬＥＤモジュール１ａは、調色可能である。
【００１７】
ＬＥＤモジュール１ａの各構成要素については、以下に詳細に説明する。
【００１８】
回路基板２の平面視形状は、円形状であるが、これに限らない。「回路基板２の平面視形状」とは、回路基板２の厚さ方向から見た回路基板２の外周形状である。回路基板２は、プリント配線板により構成されている。プリント配線板は、熱伝導率が高いのが好ましい。プリント配線板は、例えば、ＣＥＭ−３（Composite Epoxy Materials-3）の規格を満たすガラス布・ガラス不織布複合基材エポキシ樹脂銅張積層板から形成されている。
【００１９】
回路基板２は、図２及び４に示すように、各光源部３からの光を反射する白色レジスト層２２を備えているのが好ましい。回路基板２では、白色レジスト層２２を備えている場合、白色レジスト層２２の表面が回路基板２の表面２１の一部を構成する。これにより、ＬＥＤモジュール１ａは、回路基板２での光吸収を抑制することが可能となり、光出力の高出力化を図ることが可能となる。白色レジスト層２２の材料は、例えば、フッ素樹脂系の白色レジスト、エポキシ樹脂系の白色レジスト及びシリコーン樹脂系の白色レジストの群から選択される１種であるのが好ましい。
【００２０】
ＬＥＤモジュール１ａでは、回路基板２の表面２１上に複数（１８個）の光源部３が設けられている。ＬＥＤモジュール１ａは、図３に示すように、複数（３６個）の第１ＬＥＤ３１を直列接続して構成された第１直列回路５１と、複数（３６個）の第２ＬＥＤ３２を直列接続して構成された第２直列回路５２と、を備えている。回路基板２の配線２３は、第１直列回路５１を形成するための第１配線２３１と、複数の第２ＬＥＤ３２を直列接続した第２直列回路５２を形成するための第２配線２３２と、を備えている。配線２３は、導電層により構成されている。導電層は、銅はく等により構成されている。また、回路基板２は、第１直列回路５１への給電用の一対の第１端子部２７と、第２直列回路５２への給電用の一対の第２端子部２８と、を備えている。一対の第１端子部２７及び一対の第２端子部２８は、配線２３と同様、導電層により構成されている。また、回路基板２は、その中央部に電線挿通孔２５が形成されている。電線挿通孔２５は、第１端子部２７に電気的に接続される第１電線と第２端子部２８に電気的に接続される第２電線とを通すための孔である。ＬＥＤモジュール１ａは、例えば、外部の電源ユニット（電源装置）１１等から一対の第１端子部２７間に給電されることにより、複数の第１ＬＥＤ３１が発光する。また、ＬＥＤモジュール１ａは、電源ユニット１１等から一対の第２端子部２８間に給電されることにより、複数の第２ＬＥＤ３２が発光する。
【００２１】
第１ＬＥＤ３１及び第２ＬＥＤ３２の各々は、平面視形状が正方形状である。第１ＬＥＤ３１と第２ＬＥＤ３２とが同じ平面サイズである。光源部３は、第１ＬＥＤ３１及び第２ＬＥＤ３２を２つずつ備える。よって、ＬＥＤモジュール１ａでは、光源部３が第１ＬＥＤ３１及び第２ＬＥＤ３２を１つずつ備えている場合に比べて、色むらを抑制することが可能となる。また、ＬＥＤモジュール１ａでは、光源部３が第１ＬＥＤ３１及び第２ＬＥＤ３２を１つずつ備えている場合に比べて、光出力の高出力化を図ることが可能となる。「第１ＬＥＤ３１及び第２ＬＥＤ３２の平面視形状」とは、回路基板２の厚さ方向から見た第１ＬＥＤ３１及び第２ＬＥＤ３２それぞれの外周形状である。
【００２２】
第１ＬＥＤ３１及び第２ＬＥＤ３２それぞれの光源色は、例えば、ＪＩＳ  Ｚ９１１２：２０１２で定義されているＬＥＤの光源色の相関色温度に基づいて設定するのが好ましい。ＪＩＳ  Ｚ９１１２：２０１２では、ＬＥＤの光源色が、ＸＹＺ表色系における色度によって、昼光色、昼白色、白色、温白色及び電球色の５種類に区分される。本実施形態のＬＥＤモジュール１ａでは、第１ＬＥＤ３１の光源色が白色であり、第２ＬＥＤ３２の光源色が電球色である。これにより、ＬＥＤモジュール１ａでは、光源部３の光源色を電球色乃至白色の間で調色可能となる。言い換えれば、ＬＥＤモジュール１ａでは、光源部３の光源色の相関色温度を、第１ＬＥＤ３１の光源色の相関色温度と第２ＬＥＤ３２の光源色の相関色温度との間で変化させることが可能となる。第１ＬＥＤ３１の光源色の相関色温度は、一例として、約４３００Ｋに設定してある。第２ＬＥＤ３２の光源色の相関色温度は、一例として、約２７００Ｋに設定してある。
【００２３】
第１ＬＥＤ３１及び第２ＬＥＤ３２の各々は、チップサイズパッケージＬＥＤである。これにより、ＬＥＤモジュール１ａでは、第１ＬＥＤ３１及び第２ＬＥＤ３２の各々が表面実装型ＬＥＤである場合に比べて、第１ＬＥＤ３１及び第２ＬＥＤ３２の各々の実装面積を小さくすることが可能となる。「チップサイズパッケージＬＥＤ」とは、その平面サイズがＬＥＤチップの平面サイズ（チップサイズ）と同等或いはわずかに大きいＬＥＤを意味する。チップサイズパッケージＬＥＤは、その平面サイズがＬＥＤチップのチップサイズよりもわずかに大きい場合、ＬＥＤチップの側面及び表面を被覆しているパッケージを有し、このパッケージが樹脂等により形成されている。ここで、「ＬＥＤチップの表面」は、ＬＥＤチップにおいて光取り出し面の少なくとも一部を構成する面であり、かつ、チップサイズパッケージＬＥＤが回路基板２に実装された状態でＬＥＤチップにおいて回路基板２側とは反対側に位置する面である。
【００２４】
第１ＬＥＤ３１は、図４に示すように、第１ＬＥＤチップ３１１と、第１波長変換部３１２と、を備える。第１ＬＥＤ３１を構成するチップサイズパッケージＬＥＤでは、第１波長変換部３１２がパッケージを構成している。
【００２５】
第１ＬＥＤチップ３１１は、青色光を放射するＬＥＤチップである。第１ＬＥＤチップ３１１は、４４０ｎｍ〜４８０ｎｍの波長域に主発光ピーク波長がある発光スペクトルを有する。第１ＬＥＤチップ３１１の平面視形状は、例えば、正方形状であるのが好ましい。「第１ＬＥＤチップ３１１の平面視形状」とは、回路基板２の厚さ方向に沿った方向から見た第１ＬＥＤチップ３１１の外周形状である。
【００２６】
第１波長変換部３１２は、例えば、第１蛍光体粒子と透光性材料との混合体により形成されているのが好ましい。透光性材料は、可視光に対する透過率が高い材料が好ましい。透光性材料は、例えば、シリコーン系樹脂である。これにより、ＬＥＤモジュール１ａでは、第１波長変換部３１２の耐熱性及び耐候性を向上させることが可能となる。「シリコーン系樹脂」とは、シリコーン樹脂、変性シリコーン樹脂を含む。第１波長変換部３１２は、第１ＬＥＤチップ３１１から放射された光の一部を波長変換して異なる波長の光を放射する第１波長変換材料として、上述の第１蛍光体粒子を備えている。第１蛍光体粒子としては、例えば、黄色の光を放射する第１黄色蛍光体粒子を採用することができる。
【００２７】
第２ＬＥＤ３２は、図４に示すように、第２ＬＥＤチップ３２１と、第２波長変換部３２２と、を備える。第２ＬＥＤ３２を構成するチップサイズパッケージＬＥＤでは、第２波長変換部３２２がパッケージを構成している。
【００２８】
第２ＬＥＤチップ３２１は、青色光を放射するＬＥＤチップである。第２ＬＥＤチップ３２１は、４４０ｎｍ〜４８０ｎｍの波長域に主発光ピーク波長がある発光スペクトルを有する。第２ＬＥＤチップ３２１の平面視形状は、例えば、正方形状であるのが好ましい。「第２ＬＥＤチップ３２１の平面視形状」とは、回路基板２の厚さ方向に沿った方向から見た第２ＬＥＤチップ３２１の外周形状である。
【００２９】
第２波長変換部３２２は、例えば、第２蛍光体粒子と透光性材料との混合体により形成されているのが好ましい。透光性材料は、可視光に対する透過率が高い材料が好ましい。透光性材料は、例えば、シリコーン系樹脂である。これにより、ＬＥＤモジュール１ａでは、第２波長変換部３２２の耐熱性及び耐候性を向上させることが可能となる。第２波長変換部３２２は、第２ＬＥＤチップ３２１から放射された光の一部を波長変換して異なる波長の光を放射する第２波長変換材料として、上述の第２蛍光体粒子を備えている。第２蛍光体粒子としては、例えば、黄色の光を放射する第２黄色蛍光体粒子を採用することができる。
【００３０】
光源部３では、例えば、第１ＬＥＤチップ３１１と第２ＬＥＤチップ３２１とを同一の仕様としてあり、第１蛍光体粒子と第２蛍光体粒子との種類（組成）を異ならせることにより、第１ＬＥＤ３１の色温度と第２ＬＥＤ３２の色温度とを異ならせてある。「同一の仕様」とは、仕様上において、主発光ピーク波長、構造、順方向電圧（Ｖｆ）及び光束それぞれが同じであることを意味する。なお、光源部３は、第１蛍光体粒子と第２蛍光体粒子とで同じ蛍光体粒子を採用し、それぞれの濃度を異ならせることにより、第１ＬＥＤ３１の色温度と第２ＬＥＤ３２の色温度とを異ならせてもよい。また、光源部３は、第１蛍光体粒子と第２蛍光体粒子とで同じ蛍光体粒子を採用し、第１ＬＥＤチップ３１１と第２ＬＥＤチップ３２１とで主発光ピーク波長を異ならせることにより、第１ＬＥＤ３１の色温度と第２ＬＥＤ３２の色温度とを異ならせてもよい。
【００３１】
ＬＥＤモジュール１ａは、図１に示すように、複数の光源部３に一対一で対応する複数のレンズ４を備えている。つまり、複数のレンズ４の各々は、一対一で対応する光源部３から放射される光の配光を制御する。これにより、ＬＥＤモジュール１ａでは、光出力の高出力化を図ることが可能となる。
【００３２】
各レンズ４は、アクリル樹脂により形成されている。各レンズ４は、それぞれの中心軸に沿った方向において回路基板２から離れるにつれて外径が大きくなる形状に形成されており、外側面４５を有する。各レンズ４は、それぞれの中心軸（光軸４Ｘ）を基準として軸対称性を有する形状に形成されている。各レンズ４における光入射面４２は、凹部４０の内底面により構成される第１光入射面４２１と、凹部４０の内側面により構成される第２光入射面４２２と、を有する。各レンズ４は、光入射面４２に入射した光を出射される光出射面４４を備える。光出射面４４は、第１光入射面４２１に入射した光を出射させる第１光出射面４４１と、第２光入射面４２２に入射して外側面４５で反射された光を出射させる第２光出射面４４２と、を有する。第１光出射面４４１は、凸曲面状に形成されている。第２光出射面４４２は、平面状に形成されている。第１光出射面４４１の平面視形状における外周形状は、円形状である。第２光出射面４４２は、平面視において第１光出射面４４１を囲繞する円環状に形成されている。レンズ４では、回路基板２から第１光出射面４４１までの距離よりも、回路基板２から第２光出射面４４２までの距離が長い。第１光出射面４４１の外周縁と第２光出射面４４２の内周縁とは円環状の面（非レンズ面）４４３により繋がっている。
【００３３】
各レンズ４は、第１光入射面４２１から入射した光を第１光出射面４４１から出射させる機能と、第２光入射面４２２から入射した光を外側面４５で反射（全反射）させて第２光出射面４４２から出射させる機能と、を有している。
【００３４】
ＬＥＤモジュール１ａは、複数のレンズ４を有するレンズ部材４００を備えている。レンズ部材４００は、回路基板２の表面２１から離れて配置される前板部４０１１と、前板部４０１１の周縁から回路基板２側へ突出した円環状の側板部４０１２と、を備える。要するに、レンズ部材４００は、有底円筒状に形成されている。前板部４０１１及び側板部４０１２は、アクリル樹脂により形成されている。レンズ部材４００では、前板部４０１１に各レンズ４が一体に形成されている。要するに、レンズ部材４００は、アクリル樹脂により形成されている。レンズ部材４００は、回路基板２に取り付けられている。
【００３５】
以下では、上述のＬＥＤモジュール１ａを備えた照明器具６について図５及び６に基づいて説明する。
【００３６】
照明器具６は、ＬＥＤモジュール１ａと、ＬＥＤモジュール１ａを保持する器具本体７と、を備える。これにより、照明器具６では、互いに光源色の色度が異なる第１ＬＥＤ３１及び第２ＬＥＤ３２それぞれからの光を混色させたときの色むらを抑制することが可能となる。
【００３７】
照明器具６は、天井埋込型の照明器具である。より、詳細には、照明器具６は、天井埋込型のダウンライトである。
【００３８】
照明器具６は、器具本体７と、取付枠９と、取付枠９に取り付けられ器具本体７を回転自在に保持した保持部材と、取付枠９に取り付けられた３つの取付ばね１０と、を備えている。
【００３９】
器具本体７は、一例として、アルミニウムにより形成されている。器具本体７は、アルミダイキャスト法によって形成されている。
【００４０】
器具本体７は、ベース部７１と、複数の放熱フィン７２と、を一体に備えている。照明器具６では、ベース部７１にＬＥＤモジュール１ａが配置されている。照明器具６では、ベース部７１とＬＥＤモジュール１ａとの間に、電気絶縁性及び熱伝導性を有する熱伝導性シート１２を介在させてあるのが好ましい。熱伝導性シート１２は、例えば、電気絶縁性及び熱伝導性を有するシリコーンゲルのシートである。この種のシリコーンゲルのシートとしては、例えば、サーコン（登録商標）等を採用することができる。また、熱伝導性シートの材料は、シリコーンゲルに限らず、電気絶縁性及び熱伝導性を有していれば、例えば、エラストマーでもよい。
【００４１】
照明器具６では、ＬＥＤモジュール１ａと器具本体７との間に熱伝導性シート１２を介在させてあるので、ＬＥＤモジュール１ａで発生した熱を、器具本体７へ効率良く伝熱させることが可能となる。よって、照明器具６は、ＬＥＤモジュール１ａで発生した熱を複数の放熱フィン７２から効率良く放熱させることが可能となる。
【００４２】
取付枠９は、一例として、アルミニウムにより形成されている。取付枠９は、アルミダイキャスト法によって形成されている。取付枠９は、円筒状の枠体９１と、枠体９１の下端部から外側に突出したフランジ９２と、を備えている。フランジ９２の外周形状は、円形状である。フランジ９２の外径は、枠体９１の外径よりも大きい。
【００４３】
各取付ばね１０は、ステンレス鋼により形成されている。各取付ばね１０は、板ばねである。３つの取付ばね１０は、枠体９１の周方向において離れて配置されている。
【００４４】
照明器具６は、取付枠９と３つの取付ばね１０とを利用して天井材に取り付けることができる。ここで、天井材には、照明器具６を取り付けるための取付孔が形成されている。取付孔の内径は、枠体９１の外径よりも大きくフランジ９２の外径よりも小さい。照明器具６を施工する際には、器具本体７を取付孔に挿入する前に各取付ばね１０を器具本体７に沿うように弾性変形させてから、器具本体７及び各取付ばね１０を取付孔に挿入し、フランジ９２を天井材の下面に当たった状態とすれば、各取付ばね１０のばね力によって各取付ばね１０が天井材に当たる。よって、照明器具６では、各取付ばね１０とフランジ９２とで天井材を挟持することができる。言い換えれば、照明器具６が天井材に取り付けられた状態となる。
【００４５】
（第１変形例）
図７は、ＬＥＤモジュール１ａの第１変形例のＬＥＤモジュール１ｂの要部概略断面図である。なお、ＬＥＤモジュール１ｂに関し、ＬＥＤモジュール１ａと同様の構成要素には同一の符号を付して説明を適宜省略する。
【００４６】
ＬＥＤモジュール１ｂは、ＬＥＤモジュール１ａと基本構成が同じであり、第１ＬＥＤ３１の外周部と第２ＬＥＤ３２の外周部との少なくとも一方（本変形例では、第２ＬＥＤ３２の外周部）が遮光性を有する点がＬＥＤモジュール１ａと相違する。これにより、ＬＥＤモジュール１ｂでは、各光源部３において、第１ＬＥＤ３１の第１波長変換部３１２と第２ＬＥＤ３２の第２波長変換部３２２との一方からの光が他方へ直接入射するのを抑制することが可能となる。よって、ＬＥＤモジュール１ｂでは、光源部３の色度の設計が容易になる。
【００４７】
第１ＬＥＤ３１は、第１ＬＥＤチップ３１１と、第１波長変換部３１２と、を備える。第１ＬＥＤ３１では、第１ＬＥＤチップ３１１の表面及び側面が第１波長変換部３１２により被覆されている。第１ＬＥＤ３１を構成するチップサイズパッケージＬＥＤでは、第１波長変換部３１２がパッケージを構成している。
【００４８】
第２ＬＥＤ３２は、第２ＬＥＤチップ３２１と、第２波長変換部３２２と、を備える。また、第２ＬＥＤ３２は、遮光部３２３を備える。第２ＬＥＤ３２では、第２ＬＥＤチップ３２１の表面が第２波長変換部３２２により被覆され、第２ＬＥＤチップ３２１の側面及び第２波長変換部３２２の側面が遮光部３２３により被覆されている。第２ＬＥＤ３２を構成するチップサイズパッケージＬＥＤでは、第２波長変換部３２２と遮光部３２３とでパッケージを構成している。
【００４９】
遮光部３２３は、第２ＬＥＤチップ３２１からの光を反射する機能により遮光性を有するのが好ましい。これにより、第２ＬＥＤ３２では、遮光部３２３が第２ＬＥＤチップ３２１からの光を吸収する機能により遮光性を有する場合に比べて、光取り出し効率を向上させることが可能となる。遮光部３２３は、例えば、酸化チタン、アルミナ等を含有したシリコーン樹脂等により形成されている。
【００５０】
（第２変形例）
図８は、ＬＥＤモジュール１ａの第２変形例のＬＥＤモジュール１ｃの要部概略平面図である。なお、ＬＥＤモジュール１ｃに関し、ＬＥＤモジュール１ａと同様の構成要素には同一の符号を付して説明を適宜省略する。
【００５１】
ＬＥＤモジュール１ｃでは、第１ＬＥＤ３１及び第２ＬＥＤ３２の各々は、平面視形状が長方形状である。第１ＬＥＤ３１と第２ＬＥＤ３２とが同じ大きさである。光源部３は、第１ＬＥＤ３１及び第２ＬＥＤ３２を１つずつ備える。これにより、ＬＥＤモジュール１ｃでは、各々が１つの第１ＬＥＤ３１と１つの第２ＬＥＤ３２とで構成される各光源部３を、点光源の形状に近づけることが可能となり、色むらを抑制することが可能となり、かつ、各レンズ４の効率の低下を抑制することが可能となる。
【００５２】
（第３変形例）
以下では、ＬＥＤモジュール１ａの第３変形例のＬＥＤモジュール１ｄについて、図９に基づいて説明する。なお、ＬＥＤモジュール１ｄは、第２変形例のＬＥＤモジュール１ｃと略同じ構成を有するので、ＬＥＤモジュール１ｃと同様の構成要素には同一の符号を付して説明を適宜省略する。
【００５３】
ＬＥＤモジュール１ｄにおいて、第１ＬＥＤ３１及び第２ＬＥＤ３２の各々は、表面実装型ＬＥＤである。第１ＬＥＤ３１は、第１ＬＥＤチップ３１１を収納する第１パッケージ３１０内において、第１ＬＥＤチップ３１１が第１パッケージ３１０の長手方向の一端側に偏って配置されている。第２ＬＥＤ３２は、第２ＬＥＤチップ３２１を収納する第２パッケージ３２０内において、第２ＬＥＤチップ３２１が第２パッケージ３２０の長手方向の一端側に偏って配置されている。光源部３は、レンズ４の光軸４Ｘ（図１Ｄ参照）に直交する一平面上において光軸４Ｘと一平面との交点Ｐ１を中心として第１ＬＥＤチップ３１１と第２ＬＥＤチップ３２１とが点対称となるように第１ＬＥＤ３１及び第２ＬＥＤ３２が配置されている。これにより、ＬＥＤモジュール１ｄでは、色むらを抑制することが可能となる。
【００５４】
第１パッケージ３１０は、第１ＬＥＤチップ３１１がダイボンドされて第１ＬＥＤチップ３１１のカソード電極が電気的に接続されたカソード端子部と、第１ＬＥＤチップ３１１のアノード電極がワイヤを介して電気的に接続されたアノード端子部と、を備える。第１パッケージ３１０は、その長手方向においてアノード端子部とカソード端子部とが離れて配置されている。
【００５５】
第２パッケージ３２０は、第２ＬＥＤチップ３２１がダイボンドされて第２ＬＥＤチップ３２１の第２カソード電極が電気的に接続されたカソード端子部と、第２ＬＥＤチップ３２１のアノード電極がワイヤを介して電気的に接続されたアノード端子部と、を備える。第２パッケージ３２０は、その長手方向においてアノード端子部とカソード端子部とが離れて配置されている。
【００５６】
ＬＥＤモジュール１ｄでは、配線２３のうち第１ＬＥＤ３１のカソード端子部及び第２ＬＥＤ３２のカソード端子部それぞれに接続される各部分の面積が、第１ＬＥＤ３１のアノード端子部及び第２ＬＥＤ３２のアノード端子部それぞれに接続される各部分の面積よりも大きい。これにより、ＬＥＤモジュール１ｄでは、放熱性を向上させることが可能となる。
【００５７】
（実施形態２）
以下では、実施形態２のＬＥＤモジュール１ｅについて、図１０に基づいて説明する。
【００５８】
本実施形態のＬＥＤモジュール１ｅは、実施形態１のＬＥＤモジュール１ａと基本構成が同じである。本実施形態のＬＥＤモジュール１ｅでは、第１ＬＥＤ３１は、回路基板２の表面２１に実装された第１ＬＥＤチップ３１１と、第１ＬＥＤチップ３１１を覆うように回路基板２の表面２１側に配置された第１波長変換部３１２と、を備える。第２ＬＥＤ３２は、回路基板２の表面２１に実装された第２ＬＥＤチップ３２１と、第２ＬＥＤチップ３２１を覆うように回路基板２の表面２１側に配置された第２波長変換部３２２と、を備える。これにより、ＬＥＤモジュール１ｅでは、各光源部３の各々を点光源の形状に近づけることが可能となる。よって、ＬＥＤモジュール１ｅでは、色むらをより抑制することが可能となり、かつ、各レンズ４の効率の低下をより抑制することが可能となる。なお、本実施形態のＬＥＤモジュール１ｅに関し、ＬＥＤモジュール１ａと同様の構成要素には同一の符号を付して説明を適宜省略する。
【００５９】
「回路基板２の表面２１に実装された第１ＬＥＤチップ３１１」とは、第１ＬＥＤチップ３１１が回路基板２の表面２１上に配置されて機械的に接続されていること、及び第１ＬＥＤチップ３１１が回路基板２の配線２３に電気的に接続されていることを意味する。「回路基板２の表面２１に実装された第２ＬＥＤチップ３２１」とは、第２ＬＥＤチップ３２１が回路基板２の表面２１上に配置されて機械的に接続されていること、及び第２ＬＥＤチップ３２１が回路基板２の配線２３に電気的に接続されていることを意味する。要するに、本実施形態のＬＥＤモジュール１ｅは、ＣＯＢ（Chip On Board）型のＬＥＤモジュールである。
【００６０】
第１波長変換部３１２は、第１ＬＥＤチップ３１１の表面上に形成されている。第２波長変換部３２２は、第２ＬＥＤチップ３２１の表面上に形成されている。第１波長変換部３１２及び第２波長変換部３２２それぞれの元になる蛍光体含有樹脂の塗布は、例えば、ディスペンサシステム（dispenser system）により行うのが好ましい。「蛍光体含有樹脂」とは、蛍光体粒子を含有した透光性の樹脂（例えば、シリコーン樹脂）を意味する。ディスペンサシステムは、ノズルからの蛍光体含有樹脂の吐出量を制御するコントローラを備えているのが好ましい。これにより、ディスペンサシステムは、蛍光体含有樹脂の塗布形状の再現性を向上させることが可能とる。コントローラは、例えば、マイクロコンピュータに適宜のプログラムを搭載することにより実現することができる。
【００６１】
実施形態１、第１変形例、第２変形例、第３変形例及び実施形態２に記載した材料、数値等は、好ましい例を示しているだけであり、それに限定する主旨ではない。更に、本願発明は、その技術的思想の範囲を逸脱しない範囲で、構成に適宜変更を加えることが可能である。
【００６２】
例えば、回路基板２の平面視形状は、円形状に限らず、例えば、矩形状等でもよい。また、回路基板２を構成するプリント配線板は、例えば、金属ベースプリント配線板でもよい。
【００６３】
例えば、ＬＥＤモジュール１ａ〜１ｅでは、第１ＬＥＤ３１の光源色が白色であり、第２ＬＥＤ３２の光源色が電球色であるが、第１ＬＥＤ３１の光源色と第２ＬＥＤ３２の光源色との組み合わせは、これに組み合わせに限らない。
【００６４】
また、各レンズ４の材料は、アクリル樹脂に限らず、例えば、ポリカーボネート樹脂、シリコーン樹脂、ガラス等でもよい。
【００６５】
また、照明器具６において、ＬＥＤモジュール１ａの代わりに、ＬＥＤモジュール１ｂ〜１ｅのいずれか１つを採用してもよい。
【符号の説明】
【００６６】
１ａ、１ｂ、１ｃ、１ｄ、１ｅ  ＬＥＤモジュール
２  回路基板
２１  表面
２３  配線
３  光源部
３１  第１ＬＥＤ
３１０  第１パッケージ
３１１  第１ＬＥＤチップ
３１２  第１波長変換部
３２  第２ＬＥＤ
３２０  第２パッケージ
３２１  第２ＬＥＤチップ
３２２  第２波長変換部
４  レンズ
４０  凹部
４Ｘ  光軸
ＶＲ１  一平面
Ｐ１  交点
【図１】
2017045951.tif 000003
【図２】
2017045951.tif 000004
【図３】
2017045951.tif 000005
【図４】
2017045951.tif 000006
【図５】
2017045951.tif 000007
【図６】
2017045951.tif 000008
【図７】
2017045951.tif 000009
【図８】
2017045951.tif 000010
【図９】
2017045951.tif 000011
【図１０】
2017045951.tif 000012